(57)【要約】【課題】本発明は、点灯装置および照明器具に関し、容易に入力電圧を把握できる点灯装置および照明器具を得ることを目的とする。【解決手段】本発明に係る点灯装置は、外部電源から入力電圧を供給され、光源を点灯させる点灯回路と、該点灯回路を制御する制御回路と、該入力電圧を検出する電圧検出回路と、を備え、該制御回路は、外部機器からの信号に応じて該電圧検出回路の検出電圧から該入力電圧の大きさを判定し、判定結果を報知部に出力する。【選択図】図１
2019096542.tif 000002
【特許請求の範囲】
【請求項１】
外部電源から入力電圧を供給され、光源を点灯させる点灯回路と、
前記点灯回路を制御する制御回路と、
前記入力電圧を検出する電圧検出回路と、
を備え、
前記制御回路は、外部機器からの信号に応じて前記電圧検出回路の検出電圧から前記入力電圧の大きさを判定し、判定結果を報知部に出力することを特徴とする点灯装置。
【請求項２】
前記外部電源は、第１電圧と第２電圧とを供給し、
前記制御回路は、前記入力電圧が前記第１電圧と前記第２電圧のどちらであるかを判定することを特徴とする請求項１に記載の点灯装置。
【請求項３】
前記点灯回路は、前記入力電圧が前記第１電圧と前記第２電圧の何れでも、前記光源を点灯させることを特徴とする請求項２に記載の点灯装置。
【請求項４】
前記制御回路は、
前記外部機器からの信号に応じて前記制御回路の状態を定常動作モードと電圧判定モードとの間で切り替えるモード切替部と、
前記制御回路が前記電圧判定モードのとき、前記電圧検出回路の前記検出電圧から前記入力電圧の大きさを判定し、前記判定結果を前記報知部に出力する電圧判定部と、
を備えることを特徴とする請求項１から３の何れか１項に記載の点灯装置。
【請求項５】
前記モード切替部は、前記制御回路が前記定常動作モードのとき前記電圧判定部を停止させ、前記制御回路が前記電圧判定モードのとき前記電圧判定部を起動させることを特徴とする請求項４に記載の点灯装置。
【請求項６】
前記外部機器は、前記外部電源と前記点灯回路とを接続するスイッチであり、
前記制御回路は、前記スイッチを一定期間内にオンオフさせるプルレス操作による前記入力電圧の断続を、前記電圧検出回路の前記検出電圧から検出し、前記プルレス操作を検出すると、前記入力電圧の大きさを判定し、前記判定結果を前記報知部に出力することを特徴とする請求項１から５の何れか１項に記載の点灯装置。
【請求項７】
前記プルレス操作を、前記制御回路による前記入力電圧の大きさの判定および前記判定結果の出力に対して無効にする無効スイッチを備えることを特徴とする請求項６に記載の点灯装置。
【請求項８】
前記報知部は前記光源を備え、
前記制御回路は、前記判定結果に応じて前記点灯回路を制御し、前記光源の点灯状態を変化させることを特徴とする請求項１から７の何れか１項に記載の点灯装置。
【請求項９】
前記外部機器を接続する拡張端子を備え、
前記外部機器は前記拡張端子を介して前記制御回路と通信する確認用ユニットであり、
前記制御回路は、前記拡張端子への前記確認用ユニットの接続の有無を判断し、前記拡張端子へ前記確認用ユニットが接続されると、前記入力電圧の大きさを判定し、前記判定結果を前記報知部に出力することを特徴とする請求項１から８の何れか１項に記載の点灯装置。
【請求項１０】
前記報知部は、前記確認用ユニットを備えることを特徴とする請求項９に記載の点灯装置。
【請求項１１】
前記確認用ユニットは、前記判定結果を表示することを特徴とする請求項１０に記載の点灯装置。
【請求項１２】
前記確認用ユニットは、前記判定結果を音声で報知することを特徴とする請求項１０または１１に記載の点灯装置。
【請求項１３】
前記制御回路は、前記電圧検出回路の前記検出電圧を複数回取り込み、前記複数の検出電圧が全て同じ値であった場合に前記入力電圧の大きさを判定することを特徴とする請求項１から１２の何れか１項に記載の点灯装置。
【請求項１４】
請求項１から１３の何れか１項に記載の点灯装置と、前記光源と、を備えることを特徴とする照明器具。
【発明の詳細な説明】
【技術分野】
【０００１】
本発明は、点灯装置および照明器具に関する。
【背景技術】
【０００２】
特許文献１には、例えば１００Ｖから２５４Ｖまでの幅広い交流電圧が入力される電源電圧フリーの放電灯点灯装置が開示されている。この放電灯点灯装置では、入力する交流電圧の電圧値が高くなっても消費電力の増加を抑えることができる。
【先行技術文献】
【特許文献】
【０００３】
【特許文献１】特開２００８−６１３０９号公報
【発明の概要】
【発明が解決しようとする課題】
【０００４】
オフィスビル、工場等に設置される照明器具では、設置先の都合により入力される電圧が異なる場合がある。このため、入力電圧がＡＣ１００Ｖ〜ＡＣ２５４Ｖの範囲で点灯可能な電源電圧フリーと呼ばれる照明器具が使用されることがある。電源電圧フリーの照明器具は、内部の点灯装置において、入力電圧によらず照明負荷に供給する電力を一定に制御することで可能となる。
【０００５】
一般にオフィスビル等では、各テナントに対し単相三線でＡＣ１００ＶおよびＡＣ２００Ｖの両方を給電する場合が多い。この場合、電源電圧フリーの照明器具には、ＡＣ１００Ｖ、ＡＣ２００Ｖのどちらかを選択し使用する。一般には、ＡＣ２００Ｖが使用されることが多い。仮に作業者が、照明器具への入力電圧がＡＣ２００Ｖとなるように配線したつもりが、誤って入力電圧がＡＣ１００Ｖとなっているとする。これは、配線挟みこみ等により配線が途中で地絡している場合等に発生する。このとき、照明器具は誤配線によるＡＣ１００Ｖの入力電圧でも正常に点灯する。このため、作業者が誤配線に気づかないおそれがある。
【０００６】
また、照明器具の設置後に照明器具への入力電圧を把握するには、一般にテスター等の測定機器が必要となる。このため、入力電圧を把握するために手間がかかる可能性がある。
【０００７】
本発明は、上述の課題を解決するためになされたもので、容易に入力電圧を把握できる点灯装置および照明器具を得ることを目的とする。
【課題を解決するための手段】
【０００８】
本発明に係る点灯装置は、外部電源から入力電圧を供給され、光源を点灯させる点灯回路と、該点灯回路を制御する制御回路と、該入力電圧を検出する電圧検出回路と、を備え、該制御回路は、外部機器からの信号に応じて該電圧検出回路の検出電圧から該入力電圧の大きさを判定し、判定結果を報知部に出力する。
【発明の効果】
【０００９】
本発明に係る点灯装置では、制御回路が外部機器からの信号に応じて入力電圧の大きさを判定し、判定結果を報知部に対し出力する。このため、作業者は容易に入力電圧を把握できる。
【図面の簡単な説明】
【００１０】
【図１】実施の形態１に係る照明器具の回路ブロック図である。
【図２】外部電源と入力端子の別の接続方法を示す図である。
【図３】実施の形態１に係る制御回路の動作を示すフローチャートである。
【図４】実施の形態１に係るモード切替部の動作を示すフローチャートである。
【図５】実施の形態１に係る電圧判定部の動作を示すフローチャートである。
【図６】実施の形態２に係る照明器具の回路ブロック図である。
【図７】実施の形態２に係る制御回路の動作を示すフローチャートである。
【発明を実施するための形態】
【００１１】
本発明の実施の形態に係る点灯装置、点灯装置および照明器具について図面を参照して説明する。同じ又は対応する構成要素には同じ符号を付し、説明の繰り返しを省略する場合がある。
【００１２】
実施の形態１．
図１は、実施の形態１に係る照明器具１の回路ブロック図である。照明器具１は入力端子３と点灯装置１０と光源４とを備える。
【００１３】
照明器具１は、外部電源から入力電圧Ｖｉを供給される。外部電源は商用電源である単相三線の電源である。外部電源は直列に接続された２つの電源ＡＣを備える。各々の電源ＡＣの電圧はＡＣ１００Ｖである。２つの電源ＡＣの接続点には、接地用の中性点Ｎが設けられる。外部電源は、第１電圧と第２電圧とを供給する。第１電圧はＡＣ１００Ｖであり、第２電圧はＡＣ２００Ｖである。
【００１４】
照明器具１の入力端子３は高電位側端子３ａと低電位側端子３ｂとを備える。高電位側端子３ａと低電位側端子３ｂとの間には、２つの電源ＡＣが接続されている。このため、照明器具１の入力端子３にはＡＣ２００Ｖが印加される。なお、照明器具１の外郭は接地用端子に接続され、中性点Ｎと等電位である。
【００１５】
外部電源と照明器具１とは、スイッチＳＷ２によって接続される。スイッチＳＷ２は両切りの電源スイッチであることが望ましい。スイッチＳＷ２は、例えば、壁スイッチである。スイッチＳＷ２は、室内に取り付けられたスイッチであっても良い。スイッチＳＷ２はスイッチＬａとスイッチＬｂを備える。スイッチＬａは高電位側端子３ａと外部電源とを接続する。スイッチＬｂは低電位側端子３ｂと外部電源とを接続する。スイッチＬａと中性点Ｎ間および中性点ＮとスイッチＬｂ間の電圧は、それぞれＡＣ１００Ｖである。
【００１６】
光源４は、直列に接続された複数のＬＥＤ４ａを備える。光源４は照明負荷である。図１には２つのＬＥＤ４ａが図示されているが、光源４が備えるＬＥＤ４ａの数はこれ以外でも良い。また、複数のＬＥＤ４ａは並列または直並列に接続されても良い。
【００１７】
点灯装置１０は、入力端子１３と出力端子１６を有する。入力端子１３は、入力端子３と接続される。出力端子１６は光源４と接続される。点灯装置１０において、入力端子１３には整流回路１１が接続される。整流回路１１は、入力端子１３を介して外部電源から入力された交流電圧を整流する。整流回路１１は、ブリッジ整流回路等である。整流回路１１は昇圧チョッパ回路等の直流電圧を生成する回路を含んでも良い。
【００１８】
整流回路１１の出力には、電圧検出回路１２が接続される。電圧検出回路１２は外部電源から点灯装置１０への入力電圧Ｖｉを検出する。入力電圧Ｖｉは、入力端子３または入力端子１３に印加される電圧である。電圧検出回路１２は、直列に接続された抵抗１２ａ、１２ｂを備える。抵抗１２ａ、１２ｂの直列回路は、一端が整流回路１１の高電位側の出力に、他端が整流回路１１の低電位側の出力に接続される。抵抗１２ａと抵抗１２ｂとの接続点は制御回路１７に接続される。抵抗１２ａ、１２ｂの接続点の電圧である検出電圧Ｖｐは制御回路１７に入力される。電圧検出回路１２は、入力電圧Ｖｉが整流された電圧が抵抗１２ａ、１２ｂによって分圧される分圧回路である。
【００１９】
電圧検出回路１２には整流回路１１と反対側に点灯回路１５が接続される。点灯回路１５は、外部電源から入力電圧Ｖｉを供給され、光源４を点灯させる。点灯回路１５は、スイッチング素子１５ａ、ダイオード１５ｂ、コイル１５ｃおよびコンデンサ１５ｄから構成される。スイッチング素子１５ａのドレインは、整流回路１１の高電位側の出力に接続される。スイッチング素子１５ａのソースは、ダイオード１５ｂのカソードとコイル１５ｃの一端に接続される。スイッチング素子１５ａのゲートはスイッチング素子駆動ドライバ１４と接続される。
【００２０】
ダイオード１５ｂのアノードは整流回路１１の低電位側の出力に接続される。コイル１５ｃの他端は、コンデンサ１５ｄの正極に接続される。コンデンサ１５ｄの負極は整流回路１１の低電位側の出力に接続される。コンデンサ１５ｄの両端には、点灯回路１５の出力電圧が印加される。点灯回路１５の出力電圧は、出力端子１６を介して光源４に供給される。
【００２１】
点灯回路１５は入力電圧ＶｉがＡＣ１００Ｖ〜ＡＣ２５４Ｖの範囲で光源４を点灯させる。点灯回路１５は、入力電圧Ｖｉが第１電圧と第２電圧の何れであっても、光源４を点灯させる。点灯回路１５は、電源電圧フリーである。これに限らず、点灯回路１５は入力電圧Ｖｉの範囲がＡＣ１００Ｖ〜ＡＣ２００Ｖに対応していても良い。本実施の形態では、点灯回路１５は降圧コンバータ回路である。
【００２２】
点灯装置１０は検出抵抗Ｒｄを備える。検出抵抗Ｒｄは出力端子１６の低電位側と、コンデンサ１５ｄの負極との間に接続される。検出抵抗Ｒｄには、光源４を流れる光源電流に応じた電圧Ｖｒが印加される。電圧Ｖｒは制御回路１７に入力される。
【００２３】
点灯装置１０は、点灯回路１５を制御する制御回路１７を備える。制御回路１７は例えばマイクロコンピュータである。制御回路１７は、スイッチング素子１５ａをスイッチングする調光信号Ｖｕを出力する。一般に、調光信号Ｖｕの電圧はスイッチング素子１５ａの駆動電圧より小さい。このため、調光信号Ｖｕはスイッチング素子駆動ドライバ１４に入力され、スイッチング素子駆動ドライバ１４を介してスイッチング素子１５ａをスイッチング動作させる。
【００２４】
制御回路１７の動作モードには、定常動作モードと電圧判定モードとが含まれる。制御回路１７はモード切替部１７ａを有する。モード切替部１７ａは、外部機器からの信号に応じて制御回路１７の状態を定常動作モードと電圧判定モードとの間で切り替える。モード切替部１７ａは、外部機器からの信号に応じて制御回路１７の動作モードを切り替えるモード切替スイッチである。
【００２５】
本実施の形態では外部機器は、スイッチＳＷ２である。モード切替部１７ａは、プルレス操作による入力電圧Ｖｉの断続を、電圧検出回路１２の検出電圧Ｖｐから検出する。ここで、プルレス操作は、後述するようにスイッチＳＷ２を一定期間内にオンオフさせる操作である。モード切替部１７ａは、プルレス操作を検出すると、制御回路１７の状態を電圧判定モードに設定する。
【００２６】
また、制御回路１７は調光信号出力部１７ｂを有する。調光信号出力部１７ｂは、制御回路１７が定常動作モードのとき、光源４の調光率が目標値と一致するように点灯回路１５に調光信号Ｖｕを出力する。
【００２７】
また、制御回路１７は電圧判定部１７ｃを有する。電圧判定部１７ｃは、制御回路１７が電圧判定モードのとき、電圧検出回路１２の検出電圧Ｖｐから外部電源からの入力電圧Ｖｉの大きさを判定する。電圧判定部１７ｃは、入力電圧Ｖｉが第１電圧と第２電圧のどちらであるかを判定する。電圧判定部１７ｃは例えば、入力電圧Ｖｉと、第１電圧および第２電圧とを比較する比較器を備える。
【００２８】
モード切替部１７ａは、制御回路１７が定常動作モードのとき電圧判定部１７ｃを停止させ、制御回路１７が電圧判定モードのとき電圧判定部１７ｃを起動させる。つまり、モード切替部１７ａは、一定期間内にプルレス操作を検出すると、プルレス操作判定信号を電圧判定部１７ｃに送信する。これにより、電圧判定部１７ｃは起動する。
【００２９】
電圧判定部１７ｃは、入力電圧Ｖｉの判定結果を報知部に出力する。報知部は、判定結果を作業者に報知する。本実施の形態では、報知部は光源４を備える。
【００３０】
図２は、外部電源と入力端子３の別の接続方法を示す図である。このように、入力端子３に、単相二線でＡＣ１００Ｖが印加される施工工事がなされる場合もある。
【００３１】
次に、図３から図５を用いて、照明器具１の動作を説明する。図３は、実施の形態１に係る制御回路１７の動作を示すフローチャートである。まず、スイッチＳＷ２をオンし、照明器具１への電源供給を開始する。電源がオンすると、照明器具１には入力端子３からＡＣ２００Ｖの入力電圧Ｖｉが供給される。
【００３２】
整流回路１１は、入力電圧Ｖｉを全波整流した後に平滑する。これにより入力電圧Ｖｉは直流に変換される。この直流電圧の一部は分圧され、制御電源Ｖｄｄとして制御回路１７に供給される。制御回路１７に制御電源Ｖｄｄが通電されると、ステップＳ１に示されるように、制御回路１７は初期化される。制御回路１７は初期化されると、ステップＳ２に示されるように、定常動作モードに設定される。定常動作モードにおいて、ステップＳ３に示されるように、制御回路１７は光源４を通常点灯させる。
【００３３】
次に、ステップＳ３において、定常動作モードにおいて光源４を通常点灯させる制御回路１７の動作を説明する。制御回路１７は、調光信号Ｖｕを出力し点灯回路１５を制御する。調光信号Ｖｕは、Ｈｉｇｈ信号およびＬｏｗ信号によりスイッチング素子１５ａをオンオフする直流信号である。調光信号ＶｕのＨｉｇｈ時間は、スイッチング素子１５ａのオン時間に対応する。
【００３４】
調光信号出力部１７ｂは、電圧Ｖｒから光源電流を検出する。光源電流は調光率に対応する。調光信号出力部１７ｂは、電圧Ｖｒに基づき、予め設定された明るさで光源４が点灯するように調光信号Ｖｕを出力する。例えば、調光率の目標値が８０％であれば、調光信号出力部１７ｂは調光率が８０％となるように調光信号Ｖｕを出力する。調光率が目標値よりも低い場合、調光信号出力部１７ｂは、調光信号ＶｕのＨｉｇｈ時間を長くする。また、入力電圧Ｖｉが高いほど調光信号ＶｕのＨｉｇｈ時間は短くなる。
【００３５】
以上から、スイッチング素子１５ａのオン時間の調整により、入力電圧Ｖｉの大きさにかかわらず、点灯回路１５から光源４に供給される電流が一定となるよう定電流制御される。制御回路１７は、点灯装置１０の外部からＰＷＭ信号またはデジタル通信で送信される信号を取り込んでも良い。この場合、制御回路１７は外部から入力される信号のデューティ比に応じた調光信号Ｖｕを出力してもよい。
【００３６】
通常点灯時において、モード切替部１７ａはステップＳ４に示されるように、プルレス操作の有無を検出する。図４は、実施の形態１に係るモード切替部１７ａの動作を示すフローチャートである。プルレス操作は、入力電圧Ｖｉを短時間で断続させる操作である。本実施の形態におけるプルレス操作は、スイッチＳＷ２を例えば３秒以内にオン、オフ、オンと切り替えることを指す。
【００３７】
モード切替部１７ａは、電圧検出回路１２の検出電圧Ｖｐを取り込み、プルレス操作の有無を判定する。モード切替部１７ａは、検出電圧ＶｐをＡ／Ｄ変換する。これにより、モード切替部１７ａは、入力電圧Ｖｉに対応する直流電圧である検出電圧Ｖｐを検出する。例えば、入力端子１３にＡＣ２５４Ｖが入力された時、検出電圧Ｖｐ＝１５Ｖとなる。入力端子１３にＡＣ２００Ｖが入力された時、検出電圧Ｖｐ＝１１．８Ｖとなる。入力端子１３にＡＣ１００Ｖが入力された時、検出電圧Ｖｐ＝５．９Ｖとなる。抵抗１２ａ、１２ｂの抵抗値は、入力電圧Ｖｉに対して検出電圧Ｖｐが上述の値となるように設定される。
【００３８】
モード切替部１７ａは、検出電圧ＶｐのＡ／Ｄ変換値を一定のサンプリング時間毎に読み込む。サンプリング時間は例えば１０ｍｓである。ここで、プルレス操作により入力電圧Ｖｉが断続されると、Ａ／Ｄ変換値は時間推移に伴いＬｏｗ信号とＨｉｇｈ信号との間で切り替わる。ここで、Ｌｏｗ信号は０Ｖである。また、入力電圧Ｖｉの断続は、電源がオンした状態から、電源がオフし、その直後に再度電源がオンされることを意味する。このとき、モード切替部１７ａが読み込む値は、Ｈｉｇｈ信号、Ｌｏｗ信号、Ｈｉｇｈ信号の順に切り替わる。
【００３９】
ステップＳ２１に示されるように、モード切替部１７ａが、入力電圧Ｖｉのオンからオフへの変化に伴うＨｉｇｈ信号からＬｏｗ信号への立下りを検知したとする。この時、ステップＳ２２に示されるように、モード切替部１７ａはプルレスタイマを起動させる。ステップＳ２５に示されるように、プルレスタイマは判定時間をカウントする。判定時間は例えば３秒である。
【００４０】
次に、ステップＳ２３に示されるように、プルレスタイマの起動中において、モード切替部１７ａが電源オン時の変化であるＬｏｗ信号からＨｉｇｈ信号への立ち上がりを検知したとする。モード切替部１７ａは、判定時間の間に再度電源オンを検知すると、ステップＳ２４に示されるように、プルレス操作ありと判定する。モード切替部１７ａがプルレス操作ありと判定した場合、制御回路１７の状態は、図３のステップＳ５に示されるように、定常動作モードから電圧判定モードに遷移する。
【００４１】
プルレスタイマの起動後、判定時間が経過しても立ち上がりを検知しなかった場合、ステップＳ２６に示されるように、モード切替部１７ａはプルレスタイマを停止させる。このとき、図３のステップＳ２に示されるように、モード切替部１７ａは制御回路１７を定常動作モードにセットする。
【００４２】
次に、電圧判定モードについて説明する。電圧判定モードでは電圧判定部１７ｃが起動する。ステップＳ６に示されるように、電圧判定部１７ｃは、検出電圧ＶｐのＡ／Ｄ変換値に基づき入力電圧Ｖｉの大きさを判定する。
【００４３】
図５は、実施の形態１に係る電圧判定部１７ｃの動作を示すフローチャートである。ステップＳ３１からＳ３４に示されるように、電圧判定部１７ｃは、Ａ／Ｄ変換値を４つの閾値と比較する。４つの閾値は、予め電圧判定部１７ｃに格納されている。これにより、入力電圧ＶｉがＡＣ２００Ｖ、ＡＣ１００Ｖおよびそれ以外の電圧の３種類のうちどれであるかを判定する。
【００４４】
なお、商用電源の電圧変動を考慮し、ＡＣ２００Ｖの入力電圧Ｖｉを判定する際の閾値はＶｐ＝１１．８Ｖ±１０％に対応したＡ／Ｄ変換値に、ＡＣ１００Ｖの入力電圧Ｖｉを判定する際の閾値はＶｐ＝５．９Ｖ±１０％に対応したＡ／Ｄ変換値に設定される。
【００４５】
まず、ステップＳ３１に示されるように、電圧判定部１７ｃは入力電圧ＶｉがＡＣ２００Ｖ＋１０％以下であるかを判定する。入力電圧ＶｉがＡＣ２００Ｖ＋１０％より大きい場合、入力電圧ＶｉはＡＣ２００Ｖ、ＡＣ１００Ｖ以外の電圧であると判定される。入力電圧ＶｉがＡＣ２００Ｖ＋１０％以下の場合、ステップＳ３２に示されるように、電圧判定部１７ｃは入力電圧ＶｉがＡＣ２００Ｖ−１０％以上であるかを判定する。入力電圧ＶｉがＡＣ２００Ｖ−１０％以上である場合、入力電圧ＶｉはＡＣ２００Ｖであると判定される。
【００４６】
入力電圧ＶｉがＡＣ２００Ｖ−１０％より小さい場合、ステップＳ３３に示されるように、電圧判定部１７ｃは入力電圧ＶｉがＡＣ１００Ｖ＋１０％以下であるかを判定する。入力電圧ＶｉがＡＣ１００Ｖ＋１０％より大きい場合、入力電圧ＶｉはＡＣ２００Ｖ、ＡＣ１００Ｖ以外の電圧であると判定される。入力電圧ＶｉがＡＣ１００Ｖ＋１０％以下の場合、ステップＳ３４に示されるように、電圧判定部１７ｃは入力電圧ＶｉがＡＣ１００Ｖ−１０％以上であるかを判定する。入力電圧ＶｉがＡＣ１００Ｖ−１０％以上である場合、入力電圧ＶｉはＡＣ１００Ｖであると判定される。入力電圧ＶｉがＡＣ１００Ｖ−１０％より小さい場合、入力電圧ＶｉはＡＣ２００Ｖ、ＡＣ１００Ｖ以外の電圧であると判定される。
【００４７】
なお、商用電源の電圧値は変動することがある。このため、入力電圧Ｖｉが電圧変動の影響を受ける可能性がある。電圧判定部１７ｃは、検出電圧Ｖｐを複数回取り込み、複数の検出電圧Ｖｐが全て同じ値であった場合に入力電圧Ｖｉの大きさを判定してもよい。例えば、電圧判定部１７ｃは、検出電圧ＶｐのＡ／Ｄ変換値を３回取り込み、３回連続で同じ取り込み値である場合に、その取り込み値を用いて電圧判定しても良い。以上から、電圧変動の影響を抑制し、より正確に入力電圧Ｖｉを判定することができる。
【００４８】
入力電圧Ｖｉの判定後、制御回路１７はステップＳ７に示される報知動作に移行する。報知動作において、電圧判定部１７ｃは、判定結果に応じて点灯回路１５を制御し、光源４の点灯状態を変化させる。まず、電圧判定部１７ｃは、判定結果に応じた調光パターンを調光信号出力部１７ｂに出力する。調光信号出力部１７ｂは、調光パターンに応じて、光源４を通常点灯とは異なる点灯パターンで点灯させる調光信号Ｖｕを出力する。
【００４９】
通常点灯とは異なる点灯パターンの一例について説明する。入力電圧ＶｉがＡＣ１００Ｖと判定された場合、制御回路１７は光源４が点滅するよう調光信号Ｖｕを出力する。また、入力電圧ＶｉがＡＣ２００Ｖと判定された場合、制御回路１７は光源４が下限点灯するよう調光信号Ｖｕを出力する。ここで、下限点灯は通常点灯よりも調光率が低い点灯状態である。入力電圧Ｖｉがその他の電圧と判定された場合、制御回路１７は光源４が消灯するよう調光信号Ｖｕを出力する。以上の報知動作の点灯パターンを表１に示す。
【００５０】
【表１】
2019096542.tif 000003
【００５１】
以上から、報知動作により光源４が通常と異なる点灯状態で点灯する。これにより、作業者は、容易に入力電圧Ｖｉを把握できる。また、作業者は施工した照明器具１の機能を用いて入力電圧Ｖｉを知ることができる。このため、テスター等の測定機器を用いることなく、施工後の配線異常の有無を容易に確認できる。
【００５２】
ここで、仮にＬｂ側の電源線が照明器具１の外郭の金属部分等に触れてしまったとする。この場合、電源線が地絡状態になる可能性がある。このとき、ＡＣ２００Ｖを入力端子３に接続することを想定していても、点灯装置１０に入力される電圧はＡＣ１００Ｖとなる。前述の通り、点灯装置１０はＡＣ１００Ｖでも点灯する。このため、照明器具１が設置された建物の構内のブレーカが地絡により落ちない場合、作業者は異常状態に気づかない可能性がある。
【００５３】
同様に、配線ミスにより点灯装置１０にＡＣ１００Ｖが入力された場合も、光源４の通常点灯の試験のみで配線ミスに気づくことは難しい。照明器具１の外郭は接地されているため、作業者が照明器具１の外郭に接触しても感電等を防止できる。しかし、照明器具１は、使用者が意図した使用状態と異なる状態となっている。このため、照明器具１または外部の配線に不具合が生じるおそれがある。
【００５４】
これに対し、本実施の形態の照明器具１では、スイッチＳＷ２のプルレス操作により入力電圧Ｖｉが判定される。判定結果に応じた点灯パターンにより、作業者は入力電圧Ｖｉを容易に確認できる。
【００５５】
判定結果が、意図した電圧と異なっていた場合、作業者は例えば以下の手順で配線状態を確認する。まず、高電位側端子３ａと低電位側端子３ｂとの間の線間電圧を測定する。これに限らず、入力端子１３の線間電圧を測定してもよい。測定した線間電圧が意図した入力電圧Ｖｉと異なっていた場合、スイッチＳＷ２と入力端子３の間の配線の電圧およびスイッチＳＷ２の線間電圧を測定する。次に、外部電源のブレーカを遮断し、照明器具１のアース接続および中性点Ｎのアース接続を確認する。
【００５６】
また、以上の配線確認が完了した後、入力電圧Ｖｉの判定機能は不要となる。このため、入力電圧Ｖｉの確認後は、スイッチＳＷ２によるプルレス操作を別の機能に割り当ててもよい。別の機能として、例えば、プルレス操作によって、光源４の調光率を予め定めた調光率に変更しても良い。
【００５７】
プルレス操作を別の機能に割り当てる方法として、制御回路１７による入力電圧Ｖｉの大きさの判定および判定結果の出力に対して、プルレス操作を無効にする無効スイッチＳＷ３を点灯装置１０に設けても良い。無効スイッチＳＷ３は例えばジャンパスイッチであっても良い。この場合、ジャンパスイッチにジャンパピンを挿入することで、プルレス操作を別の機能に割り当てられる。これに限らず、電源の断続を複雑に行う特殊操作等を用いてもよい。
【００５８】
プルレス操作を別の機能に割り当てることにより、使用者が意図せずプルレス操作をしても、報知動作の発生を防止できる。このため、使用者が意図しない点灯状態に陥ることを防止できる。
【００５９】
本実施の形態の作業者には、プルレス操作を行うあらゆる者が含まれる。例えば、作業者は照明器具１の設置工事を行う工事者、照明器具１の使用者、照明器具１が取り付けられた建物の使用者であっても良い。
【００６０】
また、本実施の形態では制御回路１７において、モード切替部１７ａ、調光信号出力部１７ｂ、電圧判定部１７ｃは別個に設けられている。これに限らず、モード切替部１７ａ、調光信号出力部１７ｂ、電圧判定部１７ｃは一体化されていても良い。制御回路１７として、外部機器からの信号に応じて電圧検出回路１２の検出電圧Ｖｐから入力電圧Ｖｉの大きさを判定し、報知部に対し判定結果を出力するあらゆる回路を採用できる。
【００６１】
制御回路１７は、専用のハードウェアであっても、メモリに格納されるプログラムを実行するＣＰＵ（Ｃｅｎｔｒａｌ  Ｐｒｏｃｅｓｓｉｎｇ  Ｕｎｉｔ）であってもよい。ＣＰＵは中央処理装置、処理装置、演算装置、マイクロプロセッサ、マイクロコンピュータ、プロセッサ、ＤＳＰとも呼ばれる。
【００６２】
制御回路１７が専用のハードウェアである場合、制御回路１７は、例えば、単一回路、複合回路、プログラム化したプロセッサ、並列プログラム化したプロセッサであっても良い。また、制御回路１７は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）またはＦＰＧＡ（Ｆｉｅｌｄ−Ｐｒｏｇｒａｍｍａｂｌｅ  Ｇａｔｅ  Ａｒｒａｙ）であっても良い。さらに、制御回路１７は、これらを組み合わせたものであっても良い。モード切替部１７ａ、調光信号出力部１７ｂ、電圧判定部１７ｃの各部の機能それぞれを制御回路で実現しても良い。また、各部の機能をまとめて制御回路１７で実現してもよい。
【００６３】
制御回路１７がＣＰＵの場合、モード切替部１７ａ、調光信号出力部１７ｂ、電圧判定部１７ｃの機能は、ソフトウェア、ファームウェア、またはソフトウェアとファームウェアとの組み合わせにより実現される。ソフトウェアおよびファームウェアはプログラムとして記述され、メモリに格納される。制御回路１７は、メモリに記憶されたプログラムを読み出して実行することにより、各部の機能を実現する。
【００６４】
すなわち、制御回路１７は、外部機器からの信号に応じて電圧検出回路１２の検出電圧Ｖｐから入力電圧Ｖｉの大きさを判定し、報知部に対し判定結果を出力するプログラムを格納するためのメモリを備える。また、これらのプログラムは、モード切替部１７ａ、調光信号出力部１７ｂ、電圧判定部１７ｃの手順または方法をコンピュータに実行させるものであるともいえる。
【００６５】
ここで、メモリとは、例えば、ＲＡＭ、ＲＯＭ、フラッシュメモリ、ＥＰＲＯＭ、ＥＥＰＲＯＭ等の不揮発性または揮発性の半導体メモリ、磁気ディスク、フレキシブルディスク、光ディスク、コンパクトディスク、ミニディスク、ＤＶＤ等が該当する。ＲＡＭはＲａｎｄｏｍ  Ａｃｃｅｓｓ  Ｍｅｍｏｒｙの略称である。ＲＯＭはＲｅａｄ  Ｏｎｌｙ  Ｍｅｍｏｒｙの略称である。ＥＰＲＯＭはＥｒａｓａｂｌｅ  Ｐｒｏｇｒａｍｍａｂｌｅ  Ｒｅａｄ  Ｏｎｌｙ  Ｍｅｍｏｒｙの略称である。ＥＥＰＲＯＭはＥｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙの略称である。
【００６６】
なお、モード切替部１７ａ、調光信号出力部１７ｂ、電圧判定部１７ｃの各機能について、一部を専用のハードウェアで実現し、一部をソフトウェアまたはファームウェアで実現するようにしてもよい。例えば、モード切替部１７ａ、電圧判定部１７ｃについては専用のハードウェアとしての制御回路１７でその機能を実現し、調光信号出力部１７ｂについては制御回路１７がメモリに格納されたプログラムを読み出して実行することによってその機能を実現することが可能である。
【００６７】
このように、制御回路１７は、ハードウェア、ソフトウェア、ファームウェア、またはこれらの組み合わせによって、上述の各機能を実現することができる。
【００６８】
また、本実施の形態では報知部は光源４であるものとしたが、作業者に判定結果を報知できれば、報知部はこれ以外でも良い。
【００６９】
また、本実施の形態では外部電源は単相三線の電源であるものとした。これに限らず、外部電源が複数の大きさの電圧を供給する電源であれば、本実施の形態を適用できる。また、外部電源が１つの大きさの電圧を供給する電源であっても、配線異常のチェックなどのために、本実施の形態を適用できる。
【００７０】
また、本実施の形態のプルレス操作では、３秒以内にスイッチＳＷ２をオン、オフ、オンと操作する。これに限らず、プルレス操作は、スイッチＳＷ２を一定期間内に複数回オンまたはオフさせる操作であれば良い。
【００７１】
これらの変形は以下の実施の形態に係る点灯装置および照明器具について適宜応用することができる。なお、以下の実施の形態に係る点灯装置および照明器具については実施の形態１との共通点が多いので、実施の形態１との相違点を中心に説明する。
【００７２】
実施の形態２．
図６は、実施の形態２に係る照明器具２０１の回路ブロック図である。本実施の形態の照明器具２０１は点灯装置２１０を備える。点灯装置２１０は、外部機器を接続する拡張端子２１８を備える。また、点灯装置２１０は、制御回路２１７を備える。制御回路２１７は実施の形態１の構成に加えてモード切替部２１７ｄをさらに備える。これ以外の構成は実施の形態１と同様である。
【００７３】
本実施の形態において、外部機器は確認用ユニット２１９である。確認用ユニット２１９は、拡張端子２１８を介して制御回路２１７と通信する。また、本実施の形態では、報知部は、確認用ユニット２１９である。確認用ユニット２１９は、入力電圧Ｖｉを表示する表示部を備える。表示部はＬＥＤ等で構成される。
【００７４】
拡張端子２１８は、後付けの拡張ユニットを接続する端子である。拡張ユニットにより、調光制御、無線制御等のオプション機能を照明器具１に追加できる。本実施の形態では、拡張端子２１８に確認用ユニット２１９を接続することで入力電圧Ｖｉの判定を行う。
【００７５】
拡張端子２１８は、制御回路１７のモード切替部２１７ｄと接続されている。モード切替部２１７ｄは、拡張端子２１８に接続された機器と通信する通信部である。モード切替部２１７ｄは、例えばシリアルインタフェースである。モード切替部２１７ｄは、拡張端子２１８と接続された少なくとも２本の通信線を備える。２本の通信線は、シリアルデータ送信ラインとシリアルデータ受信ラインである。モード切替部２１７ｄは、拡張端子１８を介して点灯装置１０の外部に接続された拡張ユニットとシリアル通信を行う。
【００７６】
モード切替部２１７ｄは、後述する方法で拡張端子２１８への確認用ユニット２１９の接続の有無を判断する。モード切替部２１７ｄは、拡張端子２１８に確認用ユニット２１９が接続されていると判断すると、制御回路２１７の状態を電圧判定モードに設定する。電圧判定部１７ｃは、電圧判定モードのとき電圧検出回路１２の検出電圧Ｖｐから入力電圧Ｖｉの大きさを判定する。電圧判定部１７ｃは、判定結果を、拡張端子２１８を介して確認用ユニット２１９に出力する。確認用ユニット２１９は、判定結果を表示する。
【００７７】
次に本実施の形態の照明器具２０１の動作を説明する。図７は、実施の形態２に係る制御回路２１７の動作を示すフローチャートである。スイッチＳＷ２をオンすると、照明器具１にはＡＣ２００Ｖが供給される。制御回路２１７に制御電源Ｖｄｄが通電されると、ステップＳ１に示されるように、制御回路２１７は初期化される。
【００７８】
次に、ステップＳ２０８に示されるように、モード切替部２１７ｄは確認用ユニット２１９の接続の有無を検出する。例えば、モード切替部２１７ｄの通信線がプルアップされていることを検出することで、制御回路２１７は拡張端子１８に何らかの拡張ユニットが接続されていると判定する。モード切替部２１７ｄは、拡張端子２１８に接続された拡張ユニットとシリアル通信する。このシリアル通信により、モード切替部２１７ｄは、拡張端子２１８に接続された拡張ユニットが、確認用ユニット２１９であると判定する。以上から、確認用ユニット２１９の有無を検出できる。
【００７９】
確認用ユニット２１９が接続されている場合、ステップＳ５に示されるように、制御回路２１７は電圧判定モードに移行する。ステップＳ５およびステップＳ６は実施の形態１と同様である。
【００８０】
入力電圧Ｖｉの判定結果は、電圧判定部１７ｃからモード切替部２１７ｄを介して、シリアル通信により確認用ユニット２１９に送信される。ステップＳ２０９に示されるように、確認用ユニット１９は受信した判定結果を後述するユニット報知動作により報知する。
【００８１】
次に、作業者による配線確認が完了した後、作業者が外部電源を切らずに確認用ユニット２１９を外したとする。このときステップＳ２０８の動作により、制御回路２１７は、ステップＳ２に示される定常動作モードに切り替わる。この結果、ステップＳ３に示されるように、点灯装置２１０は光源４を通常点灯させる。ステップＳ１の初期化後、確認用ユニットが取り付けられていない場合も同様の動作が実施される。
【００８２】
次に、ユニット報知動作について説明する。確認用ユニット２１９は、入力電圧Ｖｉを表示部に表示する。これにより、作業者は、容易に入力電圧Ｖｉを把握できる。また、点灯装置２１０に光源４を取り付けていない状態であっても、作業者は点灯装置２１０の入力電圧Ｖｉを知ることができる。また、照明器具２０１の通常使用時には確認用ユニット２１９は取り外される。このため、使用者の意図に反して、電圧判定モードに切り替わってしまうことを防止できる。
【００８３】
確認用ユニット１９の表示部は、７セグメントＬＥＤまたはＬＥＤマトリクスパネルで構成されてもよい。これにより、実施の形態１の３種類の点灯パターンによる報知よりも、詳細な電圧判定結果を報知できる。さらに、表示部に配線接続の確認を促すメッセージおよび具体的な確認方法を表示しても良い。これにより、作業者はマニュアルを参照することなく速やかに配線を確認できる。
【００８４】
実施の形態１および本実施の形態では、報知部の光の変化により入力電圧Ｖｉを作業者に知らせる。この変形例として、確認用ユニット２１９は、判定結果を音声で報知してもよい。この場合、確認用ユニット２１９はスピーカーを内蔵する。これにより、作業者は光源４または確認用ユニット２１９を注視していなくても、入力電圧Ｖｉを知ることができる。
【００８５】
また、確認用ユニット２１９は音声合成ＩＣを備えても良い。確認用ユニット２１９は、音声により、判定結果とともに配線接続の確認を促すメッセージと具体的な確認方法を報知してもよい。これにより、作業者に対し速やかに配線の確認を促すことができる。
【００８６】
本実施の形態では、電圧判定モードへの遷移を拡張端子２１８への確認用ユニット２１９の接続により行う。これに限らず、例えば点灯装置１０に設けた押しボタンスイッチを押下したままスイッチＳＷ２をオンすることにより、電圧判定モードに遷移してもよい。この場合も、使用者による誤操作により、意図せずして電圧判定モードに切り替わることを防止できる。
【００８７】
また、本実施の形態では、制御回路２１７はモード切替部１７ａとモード切替部２１７ｄを共に備える。このため、プルレス操作による電圧判定と、確認用ユニット２１９による電圧判定とを併用できる。これに限らず、本実施の形態ではモード切替部１７ａを備えなくても良い。
【００８８】
また、図６では電圧判定部１７ｃとモード切替部２１７ｄとは、調光信号出力部１７ｂを介して信号の送受信を行っている。これに限らず、電圧判定部１７ｃとモード切替部２１７ｄとは、直接信号を送受信しても良い。
【００８９】
なお、各実施の形態で説明した技術的特徴は適宜に組み合わせて用いてもよい。
【符号の説明】
【００９０】
１、２０１  照明器具、１０、２１０  点灯装置、４  光源、１２  電圧検出回路、１５  点灯回路、１７、２１７  制御回路、１７ａ、２１７ｄ  モード切替部、１７ｃ  電圧判定部、２１８  拡張端子、２１９  確認用ユニット、ＡＣ  電源、ＳＷ２  スイッチ、ＳＷ３  無効スイッチ、Ｖｉ  入力電圧、Ｖｐ  検出電圧
【図１】
2019096542.tif 000004
【図２】
2019096542.tif 000005
【図３】
2019096542.tif 000006
【図４】
2019096542.tif 000007
【図５】
2019096542.tif 000008
【図６】
2019096542.tif 000009
【図７】
2019096542.tif 000010